(57)【要約】【課題】品切れ等の理由で、利用者が所望のコンテンツを購入あるいはレンタルすることができない場合がある。また、不要になった記録媒体は破棄、もしくは、低価格で販売することで処分しなければならない。また、コンテンツは著作権が主張された物が多いため、無断複製を防止する必要がある。【解決手段】情報を送受信する通信手段と、前記通信手段から受信した暗号化されたコンテンツを蓄積するコンテンツ蓄積手段と、前記コンテンツ蓄積手段に蓄積されたコンテンツを管理するコンテンツ管理手段と、前記コンテンツ管理手段で選択されたコンテンツを復号する復号手段と、前記復号手段で復号されたコンテンツを記録媒体に記録する記録手段と、前記通信手段との間で情報を送受信する端末と、を備える。【選択図】　図１
2004013261.tif 000002
【特許請求の範囲】
【請求項１】
各種の情報を送受信する通信手段と、
前記通信手段から受信した暗号化されたコンテンツを蓄積するコンテンツ蓄積手段と、
前記コンテンツ蓄積手段に蓄積されたコンテンツを管理するコンテンツ管理手段と、
前記コンテンツ管理手段で選択されたコンテンツを復号する復号手段と、
前記復号手段で復号されたコンテンツを記録媒体に記録する記録手段と、
を備えることを特徴とするコンテンツ提供システム。
【請求項２】
コンテンツを受信する第１の通信手段と、
前記第１の通信手段から受信した暗号化されたコンテンツを蓄積するコンテンツ蓄積手段と、
前記コンテンツ蓄積手段に蓄積されたコンテンツを管理するコンテンツ管理手段と、
前記コンテンツ管理手段で選択されたコンテンツを復号する復号手段と、
前記復号手段で復号されたコンテンツを記録媒体に記録する記録手段と、
各種の情報を送受信する第２の通信手段と、
前記第２の通信手段との間で各種の情報を送受信する端末と、
を備えることを特徴とするコンテンツ提供システム。
【請求項３】
コンテンツを受信する第１の通信手段と、
前記第１の通信手段から受信した暗号化されたコンテンツを蓄積するコンテンツ蓄積手段と、
前記コンテンツ蓄積手段に蓄積されたコンテンツを管理するコンテンツ管理手段と、
前記コンテンツ管理手段で選択されたコンテンツを復号する復号手段と、
前記復号手段で復号されたコンテンツを記録媒体に記録する記録手段と、
各種の情報を送受信する第２の通信手段と、
前記第２の通信手段との間で各種の情報を送受信する端末と、
前記端末によって送信され、前記第２の通信手段で受信された利用者からの情報を管理する利用者情報管理手段と、
現在日時に関する情報を通知する時間通知手段と、
利用者情報に対応付けられた使用期限情報と現在日時情報とに基づいて、使用期限が経過する直前、もしくは、経過した場合に前記第２の通信手段を介して前記端末に期限経過情報を通知する期限情報通知手段と、
を備えることを特徴とするコンテンツ提供システム。
【請求項４】
コンテンツを受信する第１の通信手段と、
前記第１の通信手段から受信した暗号化されたコンテンツを蓄積するコンテンツ蓄積手段と、
前記コンテンツ蓄積手段に蓄積されたコンテンツを管理するコンテンツ管理手段と、
前記コンテンツ管理手段で選択されたコンテンツを復号する復号手段と、
前記復号手段で復号されたコンテンツを記録媒体に記録する記録手段と、
各種の情報を送受信する第２の通信手段と、
前記第２の通信手段との間で各種の情報を送受信する端末と、
前記第２の通信手段を介して前記端末に案内情報を通知する案内通知手段と、
を備えることを特徴とするコンテンツ提供システム。
【請求項５】
各種の情報を送受信する通信手段と、
前記通信手段から受信した暗号化されたコンテンツを蓄積するコンテンツ蓄積手段と、
前記コンテンツ蓄積手段に蓄積されたコンテンツを管理するコンテンツ管理手段と、
前記コンテンツ管理手段で選択されたコンテンツを復号する復号手段と、
復号化に用いるデータを前記復号手段に受け渡す鍵授受手段と、
前記復号手段で復号されたコンテンツを記録媒体に記録する記録手段と、
を備えるコンテンツ提供システムであって、
前記復号化用データの更新を、鍵発行者もしくはシステム管理者が定期的に行うことを特徴とするコンテンツ提供システム。
【請求項６】
各種の情報を送受信する通信手段と、
前記通信手段から受信した暗号化されたコンテンツを蓄積するコンテンツ蓄積手段と、
前記コンテンツ蓄積手段に蓄積されたコンテンツを管理するコンテンツ管理手段と、
前記コンテンツ管理手段で選択されたコンテンツを復号する復号手段と、
復号化に用いるデータを前記復号手段に受け渡す鍵授受手段と、
前記復号手段で復号されたコンテンツを記録媒体に記録する記録手段と、
現在日時に関する情報を通知する時間通知手段と、
前記コンテンツのタイトルと、前記記録手段で前記コンテンツを記録した記録媒体の枚数と、前記時間通知手段から取得した現在日時情報と、を管理する利用状況管理手段と、
前記利用状況管理手段から情報を取り出す利用状況取得手段と、
を備えるコンテンツ提供システムであって、
前記復号化用データの更新を、鍵発行者もしくはシステム管理者が定期的に行い、さらに、前記利用状況管理手段で管理されている情報も確認することを特徴とするコンテンツ提供システム。
【請求項７】
各種の情報を送受信する通信手段と、
前記通信手段から受信した暗号化されたコンテンツを蓄積するコンテンツ蓄積手段と、
前記コンテンツ蓄積手段に蓄積されたコンテンツを管理するコンテンツ管理手段と、
前記コンテンツ管理手段で選択されたコンテンツを復号する復号手段と、
利用者の情報を管理する利用者情報管理手段と、
前記利用者情報管理手段から得られる情報を電子透かし情報として、前記復号手段で復号されたコンテンツに埋め込む透かし埋め込み手段と、
前記透かし埋め込み手段で電子透かし情報を埋め込まれたコンテンツを記録媒体に記録する記録手段と、
を備えることを特徴とするコンテンツ提供システム。
【請求項８】
各種の情報を送受信する通信手段と、
前記通信手段から受信した暗号化されたコンテンツと広告データとを蓄積するコンテンツ蓄積手段と、
前記コンテンツ蓄積手段に蓄積されたコンテンツと広告データとを管理するコンテンツ管理手段と、
前記コンテンツ管理手段で選択されたコンテンツを復号する復号手段と、
前記復号手段で復号されたコンテンツと前記広告データとを記録媒体に記録する記録手段と、
を備えることを特徴とするコンテンツ提供システム。
【請求項９】
各種の情報を送受信する通信手段と、
前記通信手段から受信した暗号化されたコンテンツと広告データとを蓄積するコンテンツ蓄積手段と、
前記コンテンツ蓄積手段に蓄積されたコンテンツと広告データとを管理するコンテンツ管理手段と、
前記コンテンツ管理手段で選択されたコンテンツを復号する復号手段と、
前記復号手段で復号されたコンテンツと前記広告データとを記録媒体に記録する記録手段と、
前記広告データと前記記録媒体に既に記録されている広告データとを比較して書き換えるかどうかを判断する広告書換判断手段と、
を備えることを特徴とするコンテンツ提供システム。
【請求項１０】
各種の情報を送受信する通信手段と、
前記通信手段から受信した暗号化されたコンテンツと広告データとを蓄積するコンテンツ蓄積手段と、
前記コンテンツ蓄積手段に蓄積されたコンテンツと広告データとを管理するコンテンツ管理手段と、
前記コンテンツ管理手段で選択されたコンテンツを復号する復号手段と、
前記復号手段で復号されたコンテンツを記録媒体に記録する記録手段と、
前記広告データを印刷する印刷手段と、
を備えることを特徴とするコンテンツ提供システム。
【請求項１１】
各種の情報を送受信する通信手段と、
前記通信手段から受信した暗号化されたコンテンツとコンテンツのパッケージラベル等のコンテンツ関連データとを蓄積するコンテンツ蓄積手段と、
前記コンテンツ蓄積手段に蓄積されたコンテンツとコンテンツ関連データとを管理するコンテンツ管理手段と、
前記コンテンツ管理手段で選択されたコンテンツとコンテンツ関連データとを復号する復号手段と、
前記復号手段で復号されたコンテンツとコンテンツ関連データとを記録媒体に記録する記録手段と、
を備えることを特徴とするコンテンツ提供システム。
【請求項１２】
各種の情報を送受信する通信手段と、
前記通信手段から受信した暗号化されたコンテンツとコンテンツのパッケージラベル等のコンテンツ関連データとを蓄積するコンテンツ蓄積手段と、
前記コンテンツ蓄積手段に蓄積されたコンテンツとコンテンツ関連データとを管理するコンテンツ管理手段と、
前記コンテンツ管理手段で選択されたコンテンツとコンテンツ関連データとを復号する復号手段と、
前記復号手段で復号されたコンテンツとコンテンツ関連データとを記録媒体に記録する記録手段と、
前記復号されたコンテンツ関連データを印刷する印刷手段と、
を備えることを特徴とするコンテンツ提供システム。
【請求項１３】
各種の情報を送受信する通信手段と、
前記通信手段から受信した暗号化されたコンテンツを蓄積するコンテンツ蓄積手段と、
前記コンテンツ蓄積手段に蓄積されたコンテンツを管理するコンテンツ管理手段と、
前記コンテンツ管理手段で選択されたコンテンツを復号する復号手段と、
くじを発行するくじ発行手段と、
前記復号手段で復号されたコンテンツと前記くじ発行手段で発行されたくじとを記録媒体に記録する記録手段と、を備え、
くじ当選の場合は利用料金の割引等を行うことを特徴とするコンテンツ提供システム。
【請求項１４】
各種の情報を送受信する通信手段と、
前記通信手段から受信した暗号化されたコンテンツを蓄積するコンテンツ蓄積手段と、
前記コンテンツ蓄積手段に蓄積されたコンテンツを管理するコンテンツ管理手段と、
前記コンテンツ管理手段で選択されたコンテンツを復号する復号手段と、
利用者の利用状況に応じてポイントを算出するポイント算出手段と、
前記復号手段で復号されたコンテンツと前記ポイント情報とを記録媒体に記録する記録手段と、を備え、
前記ポイント情報に応じて利用者に割引等を行うことを特徴とするコンテンツ提供システム。
【請求項１５】
各種の情報を送受信する通信手段と、
前記通信手段から受信した暗号化されたコンテンツを蓄積するコンテンツ蓄積手段と、
前記コンテンツ蓄積手段に蓄積されたコンテンツを管理するコンテンツ管理手段と、
前記コンテンツ管理手段で選択されたコンテンツを復号する復号手段と、
前記復号手段で復号されたコンテンツを記録媒体に記録する記録手段と、を備え、
提供した前記記録媒体を利用者が返却した場合には、利用者に所定の金額を払い戻すことを特徴とするコンテンツ提供システム。
【請求項１６】
各種の情報を送受信する通信手段と、
前記通信手段から受信した暗号化されたコンテンツを蓄積するコンテンツ蓄積手段と、
前記コンテンツ蓄積手段に蓄積されたコンテンツを管理するコンテンツ管理手段と、
前記コンテンツ管理手段で選択されたコンテンツを復号する復号手段と、
前記復号手段で復号されたコンテンツを記録媒体に記録する記録手段と、を備え、
多くの需要が見込まれる新作コンテンツを記録した記録媒体をあらかじめ蓄えておくことを特徴とするコンテンツ提供システム。
【請求項１７】
各種の情報を送受信する通信手段と、
前記通信手段から受信した暗号化されたコンテンツを蓄積するコンテンツ蓄積手段と、
前記コンテンツ蓄積手段に蓄積されたコンテンツを管理するコンテンツ管理手段と、
前記コンテンツ管理手段で選択されたコンテンツを復号する復号手段と、
前記復号手段で復号されたコンテンツを記録媒体に記録する記録手段と、を備え、
通信網を介して利用者にコンテンツを配信する配信装置と組み合せることにより、記録媒体だけでなく通信網を介したコンテンツ提供も可能になるコンテンツ提供システム。
【発明の詳細な説明】
【０００１】
【発明の属する技術分野】
本発明は、映像や音声やプログラムやデータ等（以下、これらをコンテンツと呼ぶ）を、可搬性のある記録媒体に記録し、その記録媒体を販売あるいは貸し出しするシステムに関するものである。
【０００２】
【従来の技術】
従来、映像、音声、プログラム、データ等のコンテンツは、テープやディスク等の記録媒体に予め記録された状態で店舗に入荷し、この入荷した媒体を販売やレンタルを行っていた。
【０００３】
販売やレンタルの店舗内には、コンテンツが記録されたビデオテープ等の記録媒体が多数揃えられており、利用者は店に出向いてその店で扱っているコンテンツを選び、購入あるいはレンタルする形態をとっていた。
【０００４】
【発明が解決しようとする課題】
従来の形態では、店舗内に販売および貸し出す記録媒体を保管する場所が必要となる。そのため、店舗の広さによって記録媒体の数が制限されてしまい、品切れ等の理由で、利用者が所望のコンテンツを購入あるいはレンタルすることができない場合がある。また、不要になった記録媒体は破棄、もしくは、低価格で販売することで処分しなければならない、という課題があった。
【０００５】
また、コンテンツは著作権が主張された物が多く、このようなコンテンツの無断複製を防止する必要がある。
【０００６】
本発明は、上述の課題を考慮してなされたものであり、利用者が求めているコンテンツを必ず販売あるいは貸し出しできるようにするために、店にないコンテンツを即座に取り寄せることを可能にし、また、無断複製を防止できるコンテンツ供給システムを提供することを目的とする。
【０００７】
【課題を解決するための手段】
上述した課題を解決するため、本発明は、コンテンツを受信する第１の通信手段と、前記第１の通信手段から受信した暗号化されたコンテンツを蓄積するコンテンツ蓄積手段と、前記コンテンツ蓄積手段に蓄積されたコンテンツを管理するコンテンツ管理手段と、前記コンテンツ管理手段で選択されたコンテンツを復号する復号手段と、前記復号手段で復号されたコンテンツを記録媒体に記録する記録手段と、各種の情報を送受信する第２の通信手段と、前記第２の通信手段との間で各種の情報を送受信する端末と、を備えることを特徴とするコンテンツ提供システムである。
【０００８】
また、本発明は、各種の情報を送受信する通信手段と、前記通信手段から受信した暗号化されたコンテンツを蓄積するコンテンツ蓄積手段と、前記コンテンツ蓄積手段に蓄積されたコンテンツを管理するコンテンツ管理手段と、前記コンテンツ管理手段で選択されたコンテンツを復号する復号手段と、復号化に用いるデータを前記復号手段に受け渡す鍵授受手段と、前記復号手段で復号されたコンテンツを記録媒体に記録する記録手段と、を備えるコンテンツ提供システムであって、前記復号化用データの更新を、鍵発行者もしくはシステム管理者が定期的に行うことを特徴とするコンテンツ提供システムである。
【０００９】
本発明によれば、コンテンツ受け取り方法をディジタル放送等の通信網を利用することにより、コンテンツ提供システム使用者は、場所や距離とは無関係に迅速にコンテンツを受け取ることができるため、必要なコンテンツの受信をリアルタイムで要請可能であり、仕入れ本数を考慮する必要がなくなり、さらに、利用者に前もって予約をしてもらうことで、利用者が求めるコンテンツを即座に用意して提供することができる。
【００１０】
また、コンテンツ提供システムを、鍵発行者もしくはシステム管理者によって、定期的にメンテナンスを行われることで、常に厳格なコンテンツ無断複製防止が可能になる。
【００１１】
【発明の実施の形態】
以下、本発明の実施の形態について図面を参照して説明する。
【００１２】
（第１の実施の形態）
図１は、本発明の第１の実施の形態を示すものである。放送局１００は、各レンタルビデオ店１０１からの要請を通信網１０２を介してモデム１０３で受信することによって、あるいは、スケジュールに従うことによって、暗号化されたビデオデータをビデオデータ管理装置１０４がハードディスク装置１０５から選択し、ディジタル放送送信装置１０６とディジタル放送用アンテナ１０７から衛星１０８を介して、各レンタルビデオ店１０１に送信する。
【００１３】
各レンタルビデオ店１０１は、ディジタル放送受信アンテナ１０９とディジタル放送受信用セットトップ・ボックス（ＳＴＢ）１１０とを用いて放送局１００からビデオデータを受信し、ハードディスク装置１１１に格納する。ハードディスク装置１１１に格納されているビデオデータは、セキュリティ装置１１２によって管理されている。ビデオデータの復号処理は、復号化に使用する復号鍵等のデータが記録されたＩＣカード１１３を、セキュリティ装置１１２のカード挿入口１１２ａに挿入して行う。復号されたビデオデータは、セキュリティ装置１１２に備えられているメモリ等に一時蓄えられてから、もしくは、直接ＤＶＤレコーダ１１４に送られ、書き換え型ＤＶＤメディア１１５に記録される。セキュリティ装置１１２は、復号したビデオデータのタイトル、記録した書き換え型ＤＶＤメディア１１５の枚数、日時からなる利用状況を管理しており、その情報をＩＣカード１１３に記録する。
【００１４】
ビデオデータは暗号化されているため、ビデオデータ送信時やハードディスク装置１１１からの無断複製を防止することができる。また、書き換え型ＤＶＤメディア１１５にビデオデータを記録しているため、市販されているＤＶＤメディアと同じ複製防止機能を持つことが可能である。さらに、セキュリティ装置１１２から電子透かし等の情報を送り、それを書き換え型ＤＶＤメディア１１５に埋め込むことで、より厳格な複製防止を実現できる。電子透かし情報として、利用者の個人情報を書き換え型ＤＶＤメディア１１５に埋め込むと、複製されたメディアの利用者を特定することが容易になる。
【００１５】
レンタルビデオ店１０１に会員登録した利用者は、携帯電話１１６で通信網１０２を介してレンタルビデオ店１０１に予約を行う。予約情報は、モデム１１７で受信され、会員データベース管理装置１１８で管理された会員データベース１１９に、会員登録の際に登録された利用者の個人情報と共に格納される。予約を受けたレンタルビデオ店１０１は、利用者が所望するビデオを貸し出すことができる時間を利用者に伝え、予約を行った利用者は、その時間以降に来店して料金を支払い、所望するビデオを借りる。
【００１６】
利用者にビデオを貸し出すことができる時間は、利用者が所望するビデオが記録されている書き換え型ＤＶＤメディア１１５が店舗内にあれば利用者の希望通りでよく、店舗内のハードディスク装置１１１に格納されている場合は、復号にかかる時間と書き換え型ＤＶＤメディア１１５への書き込み時間とを考慮すればよい。もし、ハードディスク装置１１１にも無い場合は、放送局１００への要請と放送局１００からのビデオデータの受信時間も考慮に入れることになる。レンタルビデオ店１０１は、本発明のコンテンツ提供システム導入以来、ビデオデータの受信から書き換え型ＤＶＤメディア１１５への書き込みという一連の作業を行っているので、その作業に要する時間は容易に推測できる。急ぐ利用者には放送局１００からのビデオデータをハードディスク装置１１１に記録しながら、書き換え型ＤＶＤメディア１１５へ書き込むという対応も可能である。
【００１７】
また、多くの需要が見込まれるビデオをあらかじめ準備しておくことで、利用者の希望通りの時間に貸し出すことができるようになる。
【００１８】
上述のように、利用者は、所望するビデオを所定時間以降に来店すれば確実に借りることができるため、店に置いてない、もしくは、貸し出し中なので借りられないということがない。一方、レンタルビデオ店１０１は、大量の在庫を抱える必要がないため、小スペースで業務を行うことができるようになり、在庫管理を行う手間も省ける。また、利用者のニーズに確実に応えることができるため、売り損じや貸し損じをなくすこともできる。さらに、書き換え型ＤＶＤメディア１１５を貸し出しに使用しているため、メディアの再利用も可能である。従って、不要になった記録媒体を破棄する等の処分を行わなくてすむ。
【００１９】
利用者は、ビデオを借りる際に貸し出し期限を指定する。その貸し出し期限情報は、利用者の個人情報と予約情報と共に、会員データベース管理装置１１８で管理された会員データベース１１９に保存される。会員データベース管理装置１１８は現在日時情報を取得する手段を有しており、現在日時が貸し出し期限を経過する直前、もしくは、経過した場合、レンタルビデオ店１０１は、利用者の携帯電話１１６にモデム１１７を介してその旨を通知するサービスを行う。
【００２０】
また、レンタルビデオ店１０１は、新作情報等の案内情報を通知する案内通知装置１２０を備えており、案内通知装置１２０からモデム１１７を介して、利用者の携帯電話１１６に案内情報を送信するサービスを行う。
【００２１】
レンタルビデオ店１０１が上述のサービスを利用者に提供することにより、利用者は、返却を忘れることを防止でき、貸し出し期限以降のビデオ返却により発生する延滞料金を支払うことがなくなり、また、いち早く新作情報やキャンペーンなどの案内情報を得ることができる。一方、レンタルビデオ店１０１は、上述のサービス料金の徴収が行うことができ、また、案内情報を利用者に伝えることで来店人数の増加も見込める。
【００２２】
図２は、図１のＩＣカード１１３に記録されているデータの更新と、ビデオデータの利用状況の確認との動作を示すフローチャートである。このフローチャートは、図１に示しているシステム管理者１２１がデータ更新や利用状況確認を行う専用装置を操作して作業を行う例を示している。
【００２３】
まず、レンタルビデオ店１０１から受け取ったＩＣカード１１３を、専用装置に挿入する（ステップＳ２００）。挿入されたＩＣカード１１３に記録されている署名データを検証する（ステップＳ２０１）。検証の結果、ＩＣカード１１３が正規のものかどうか判断する（ステップＳ２０２）。正規のものでなければ、専用装置はエラーを返して終了する。ＩＣカード１１３が正規のものと確認されると、そのＩＣカード１１３に記録されている利用状況情報を取得する（ステップＳ２０３）。レンタルビデオ店１０１が利用状況に応じた料金を支払っているか判断する（ステップＳ２０４）。支払ってなければ、不足分の料金を徴収する（ステップＳ２０５）。最後に、ＩＣカード１１３のデータ書き換えを行い、そのＩＣカード１１３をレンタルビデオ店１０１に渡して終了する（ステップＳ２０６）。
【００２４】
上述のように、復号化に用いるデータを定期的に更新することによって、高いセキュリティレベルを維持することができる。また、ビデオデータの利用状況も確認することにより、ビデオデータ利用料金をレンタルビデオ店１０１から確実に徴収することが可能である。
【００２５】
システム管理者１２１は、上述のサービスだけでなく、ハードディスク装置１１１に格納されているデータを他の記録媒体に移す、もしくは、その逆を行うサービスや、書き換え型ＤＶＤメディア１１５の納入、点検、交換を行うサービスもレンタルビデオ店１０１に提供する。
【００２６】
これらのサービスによって、ハードディスク装置１１１に格納されているデータの管理、貸し出す書き換え型ＤＶＤメディア１１５の管理が確実になされるため、レンタルビデオ店１０１は常に良いシステム状態で業務を行うことができる。
【００２７】
（第２の実施の形態）
図３は、本発明の第２の実施の形態を示すものである。本実施の形態は、前記第１の実施の形態の構成に加えて、貸し出すメディアに広告データも記録されていることに特徴がある。なお、第１の実施の形態と共通である部分は説明を省略する。
【００２８】
放送局３００のハードディスク装置３０５にはビデオデータとは別の領域に、広告掲載依頼者から受け取った広告データが格納されている。放送局３００は、上述した第１の実施の形態でのビデオデータ送信と同様にして各レンタルビデオ店３０１に広告データを送信する。
【００２９】
各レンタルビデオ店３０１は、ディジタル放送受信アンテナ３０９とディジタル放送受信用セットトップ・ボックス３１０とを用いて放送局３００からビデオデータと広告データとを受信し、ハードディスク装置３１１にそれぞれ別の領域に格納する。
【００３０】
以下、図３の広告データ管理装置３２２について図４を用いて説明する。
【００３１】
図４は、図３の書き換え型ＤＶＤメディア３１５に広告を書き込むかどうかの判断を行うフローチャートである。このフローチャートは、広告データ管理装置３２２の動作を示している。
【００３２】
まず、ＤＶＤレコーダ３１４に書き換え型ＤＶＤメディア３１５が挿入されているかどうか判断する（ステップＳ４００）。挿入されてなければ、広告データ管理装置３２２は何もせずに終了する。挿入されていることを確認すると、書き換え型ＤＶＤメディア３１５が、何も書き込まれていないブランクの状態かどうか判断する（ステップＳ４０１）。ブランクであれば、広告データ管理装置３２２は新しい広告データを書き込むようにＤＶＤレコーダ３１４に指示して終了する（ステップＳ４０６）。ブランクでなければ、広告データ管理装置３２２は、ハードディスク装置３１１に蓄えられている広告データを確認する（ステップＳ４０２）。広告データが新しいものであるかどうかを判断する（ステップＳ４０３）。放送局３００から新たに送られてきた広告データがなければ、広告データ管理装置３２２は広告データを書き換えないようにＤＶＤレコーダ３１４に指示して終了する（ステップＳ４０７）。新しい広告データがあることが確認されると、ＤＶＤレコーダ３１４に挿入されている書き換え型ＤＶＤメディア３１５に書き込まれている広告データを確認する（ステップＳ４０４）。書き込まれている広告データが古いものであるかどうか判断する（ステップＳ４０５）。書き換え型ＤＶＤメディア３１５に書き込まれている広告データが新しい、もしくは、同じものであれば、広告データ管理装置３２２は書き換えないようにＤＶＤレコーダ３１４に指示して終了する（ステップＳ４０７）。書き込まれている広告データが古ければ、ＤＶＤレコーダ３１４に書き換えの指示をして終了する（ステップＳ４０６）。
【００３３】
上述した広告データ管理装置３２２により、常に最新の広告をメディアに提示することができ、広告の効果を上げることが可能である。また、レンタルビデオ店３０１は、広告掲載依頼者から広告収入を得ることができる。
【００３４】
前記広告データ管理装置３２２において、広告の書き換えの判断基準は広告データが新しいか否かであったが、それだけでなく、利用者の趣味等も考慮された判断基準によって広告を書き換えるようにすれば、広告の視聴率をさらに上げることができる。利用者の趣味等は、図３に示してある会員データベース管理装置で管理されている利用者の予約情報等から推定可能である。
【００３５】
また、前記広告データが単に視聴するものではなく、注文ボタンや予約ボタン等が付加されたものであれば、ネットワーク接続可能な機器で利用者が視聴していた場合、注文ボタン等を押すと注文等を行う機能を持たせることも可能である。前記第１の実施の形態で述べたように、セキュリティ装置３１２によって利用者の個人情報を書き換え型ＤＶＤメディア３１５に埋め込めば、利用者が個人情報を入力することなく注文等を行うこともできる。
【００３６】
（第３の実施の形態）
図５は、本発明の第３の実施の形態を示すものである。本実施の形態は、前記第２の実施の形態の構成に加えて、市販されているビデオパッケージのラベルや歌詞カード等（以下、これらをラベルと呼ぶ）を貸し出すメディアに記録したり印刷したりするサービスや、くじを行い当選の場合に料金割引等を行うサービス、利用の際にポイントを加算してその数に応じて料金割引等を行うサービスを実施することに特徴がある。なお、第１および第２の実施の形態と共通である部分は説明を省略する。
【００３７】
まず、ラベルのメディアへの記録と印刷サービスについて説明する。
【００３８】
放送局５００のハードディスク装置５０５にはビデオデータと広告データとは別の領域に、ラベル等のデータが格納されている。放送局５００は、上述した第１の実施の形態におけるビデオデータ送信と同様にして各レンタルビデオ店５０１にラベルデータを送信する。
【００３９】
各レンタルビデオ店５０１は、ディジタル放送受信アンテナ５０９とディジタル放送受信用セットトップ・ボックス５１０とを用いて放送局５００からビデオデータと広告データとラベルのデータとを受信し、ハードディスク装置５１１にそれぞれ別の領域に格納する。但し、ビデオデータとそのラベルデータは関連付けされていることとする。ラベルデータは暗号化されているため、ビデオデータと同様にセキュリティ装置５１２によって復号される。
【００４０】
ビデオデータがＤＶＤレコーダ５１４によって書き換え型ＤＶＤメディア５１５に記録された後、そのビデオデータのラベルは、ビデオデータとは別の領域に書き込まれる。こうすることにより、利用者が書き換え型ＤＶＤメディア５１５を再生する際に、ラベルを自由に閲覧することができる。また、コピーするなど別途ラベルを用意してメディアと共に貸し出すことを行う必要がなくなり、ラベルを紛失することもなくなる。
【００４１】
また、ラベルデータは、セキュリティ装置５１２で復号された後、プリンタ５２３に送られて印刷される。レンタルビデオ店５０１は、利用者の希望に応じてラベル５２４を提供することができる。このサービスは、特に本発明におけるビデオ販売を行う場合に効果的である。
【００４２】
ラベルデータではなく、広告データをプリンタ５２３に送り、印刷された広告５２７を書き換え型ＤＶＤメディア５１５の表面に張る、もしくは、貸し出す際に同封する。そうすれば、広告の視聴率が上がり、広告の効果を上げることができる。
【００４３】
次に、くじサービスについて説明する。
【００４４】
ビデオデータを書き換え型ＤＶＤメディア５１５に記録する際に、くじ発行装置５２５から与えられた、例えば「当たり」「はずれ」といった情報も一緒に記録する。利用者はビデオを見る際に、その書き換え型ＤＶＤメディア５１５が当選しているかどうかを確認することができる。当選していれば、利用者はレンタルビデオ店５０１にその旨を伝え、料金割引などの特典を得る。
【００４５】
貸し出す書き換え型ＤＶＤメディア５１５にくじが記録されており、それを返却することにより特典を得られるため、書き換え型ＤＶＤメディア５１５の返却率が上がり、メディアにかかるコストの削減が可能であり、利用者の来店数の増加も見込める。
【００４６】
最後に、ポイントサービスについて説明する。
【００４７】
利用者がビデオを借りる際に、ポイント計算装置５２６は、その利用状況に応じてポイントを計算してそのポイントが会員データベース５１９に利用者の個人情報等と共に保存される。レンタルビデオ店５０１は、利用者が獲得したポイントに応じて料金割引などの特典を利用者に提供する。
【００４８】
前記サービスにおいて、利用者は、レンタルビデオ店５０１を利用すればするだけ多くのポイントを獲得することができるため、結果レンタルビデオ店５０１の収益が増加することになる。
【００４９】
なお、第３の実施の形態において、ビデオデータのラベルは、ビデオデータが書き換え型ＤＶＤメディア５１５に記録された後に書き込まれたが、ビデオデータより先にラベルを書き込んでもよい。
【００５０】
なお、第３の実施の形態において、利用者の獲得ポイント情報はモデム５１７を介して携帯電話５１６に送信してもよい。
【００５１】
なお、第３の実施の形態において、くじ情報は書き換え型ＤＶＤメディア５１５に記録したが、紙に書かれたものでもよく、また、利用者の携帯電話５１６に後日くじ情報を送信してもよい。
【００５２】
なお、前記第１乃至第３の実施の形態において、ビデオデータの供給はディジタル放送を利用したが、電話回線やケーブルテレビ回線、インターネット等の通信網を利用したものであってもよい。
【００５３】
なお、前記第１乃至第３の実施の形態において、利用者は携帯電話で予約を行ったが、固定電話やパソコン等の端末で予約を行ったものであってもよく、また、利用者がレンタルビデオ店に直接出向いて予約を行ったものであってもよい。
【００５４】
なお、前記第１乃至第３の実施の形態において、復号化に使用する情報はＩＣカードに記録されており、それをセキュリティ装置に挿入することで復号化を行っているが、復号化に使用する情報はＩＣカード以外の他の記録媒体に格納されていてもよい。また、復号化に使用する情報は記録媒体を使用せずに通信網を介して与えられるものであってもよい。
【００５５】
なお、前記第１乃至第３の実施の形態において、ビデオデータを記録して貸し出すメディアとして書き換え型ＤＶＤメディアを、記録装置としてＤＶＤレコーダを使用しているが、他の記録可能なディスク媒体やその記録装置を用いてもよい。
【００５６】
なお、前記第１乃至第３の実施の形態において、ビデオデータを蓄積する装置としてハードディスク装置を使用しているが、他の記録媒体を用いたデータ蓄積装置であってもよい。
【００５７】
なお、前記第１乃至第３の実施の形態は、ビデオデータを貸し出す事業であったが、ビデオデータを販売する事業であってもよい。その場合、前記第３の実施の形態におけるラベルの印刷は効果的なサービスである。
【００５８】
なお、前記第１乃至第３の実施の形態において、貸し出す対象はビデオデータであったが、音楽データやゲーム等のビデオ以外のコンテンツであってもよい。
【００５９】
【発明の効果】
本発明によれば、コンテンツ受け取り方法をディジタル放送等の通信網を利用することにより、コンテンツ提供システム使用者は、場所や距離とは無関係に迅速にコンテンツを受け取ることができるため、必要なコンテンツの受信をリアルタイムで要請可能であり、仕入れ本数を考慮する必要がなくなり、さらに、利用者に前もって予約をしてもらうことで、利用者が求めるコンテンツを即座に用意して提供することができる。
【００６０】
また、コンテンツ提供システムを、鍵発行者もしくはシステム管理者によって、定期的にメンテナンスを行われることで、常に厳格なコンテンツ無断複製防止が可能になる。
【図面の簡単な説明】
【図１】本発明の第１の実施の形態であるコンテンツ提供システムの構成図
【図２】本発明の第１の実施の形態において、ＩＣカードに記録されているデータの更新とビデオデータの利用状況の確認との動作を示すフローチャート
【図３】本発明の第２の実施の形態であるコンテンツ提供システムの構成図
【図４】本発明の第２の実施の形態において広告データ管理装置の動作を示すフローチャート
【図５】本発明の第３の実施の形態であるコンテンツ提供システムの構成図
【符号の説明】
１００　放送局
１０１　レンタルビデオ店
１０２　通信網
１０７　ディジタル放送送信用アンテナ
１０８　衛星
１０９　ディジタル放送受信用アンテナ
１１２　セキュリティ装置
１１２ａ　カード挿入口
１１３　ＩＣカード
１１５　書き換え型ＤＶＤメディア
１１６　携帯電話
１２１　システム管理者
【図１】
2004013261.tif 000003
【図２】
2004013261.tif 000004
【図３】
2004013261.tif 000005
【図４】
2004013261.tif 000006
【図５】
2004013261.tif 000007